(57)【要約】少なくとも２つの通信パートナー装置（２Ａ、２Ｂ）を有する通信システム（１）に属し、第１の通信チャネル（４）を通じて非接触の通信を行うように設計される通信パートナー装置（２Ａ）において、２つの通信パートナー装置（２Ａ、２Ｂ）のうちの１つは、１つの通信パートナー装置（２Ａ）と他の通信パートナー装置（２Ｂ）との間の第１の通信チャネル（４）を通じた通信を可能にするために使用される通信イネーブル情報項目（ＣＥＩＡ、ＣＥＩＢ）を含む。第２の通信チャネル（７）を通じて他の通信パートナー装置（２Ｂ）の通信段（５Ｂ）と非接触に通信するように設計される通信段（５Ａ）が設けられる。通信段は、第２の通信チャネル（７）を通じた通信の際、第２の通信チャネル（７）を通じた通信より前に通信イネーブル情報項目（ＣＥＩＡ、ＣＥＩＢ）をまだ含まない通信パートナー装置（２Ａ、２Ｂ）において、第１の通信チャネル（４）を通じた通信のために必要な通信イネーブル情報項目（ＣＥＩＡ、ＣＥＩＢ）を利用可能にするように設計される。
2006513622.tif 000002
【特許請求の範囲】
【請求項１】
少なくとも２つの通信パートナー装置を有する通信システムに属し、第１の通信チャネルを通じて前記通信システムの別の通信パートナー装置と通信するように設計される通信パートナー装置であって、
前記２つの通信パートナー装置のうち１つは、該１つの通信パートナー装置と他の通信パートナー装置との間の第１の通信チャネルを通じた通信を可能にするために使用される通信イネーブル情報項目を含み、
前記通信パートナー装置は、通信手段を形成する回路部分を有する電気回路と対話するように設計され、
前記通信手段は、第２の通信チャネルを通じて、他の通信パートナー装置の通信手段と非接触の通信を行うように設計されるとともに、前記第２の通信チャネルを通じて通信する際、前記第１の通信チャネルを通じた通信を可能にするために必要な前記通信イネーブル情報項目を、前記第２の通信チャネルを通じた通信より前に前記通信イネーブル情報項目をまだ含まない前記通信パートナー装置において利用可能にするように設計される、通信パートナー装置。
【請求項２】
前記通信手段は、前記第２の通信チャネルを通じた通信の開始直後に、前記通信イネーブル情報項目を利用可能にするように設計される、請求項１に記載の通信パートナー装置。
【請求項３】
前記通信手段は、前記第２の通信チャネルを通じて通信する際、通信プロトコルに従って通信するように設計され、前記通信手段は、前記通信プロトコルの２つのアクティブ化コマンドの少なくとも１つを使用することによって、前記通信イネーブル情報項目を利用可能にするように設計され、前記アクティブ化コマンドは、前記第２の通信チャネルを通じて、第１のコマンドとして、前記通信プロトコルに従って２つの通信パートナー装置の間で伝達されることができ、前記通信プロトコルに従って通信をアクティブにするために与えられる、請求項２に記載の通信パートナー装置。
【請求項４】
前記通信手段は、前記第２の通信チャネルを通じて、前記他の通信パートナー装置に含まれる前記通信イネーブル情報項目を受け取るように設計され、
前記回路は、前記第１の通信チャネルを通じた通信を可能にするために、前記通信手段によって受け取られる前記通信イネーブル情報項目を供給するように設計される供給段を有する、請求項１に記載の通信パートナー装置。
【請求項５】
前記通信手段と対話するように設計されるとともに、前記通信イネーブル情報項目が前記通信手段によって利用可能にされるとすぐに、前記第１の通信チャネルを通じた前記他の通信パートナー装置との通信を開始するために、利用可能にされうる前記他の通信パートナー装置の前記通信イネーブル情報項目を使用するように設計される、通信開始手段が設けられる、請求項１に記載の通信パートナー装置。
【請求項６】
前記通信パートナー装置は、それに含まれる前記通信イネーブル情報項目を記憶するために設けられる記憶手段を有し、
前記回路は、前記記憶手段に記憶された前記通信イネーブル情報項目について呼びかけるように設計される呼びかけ段を有し、
前記通信手段は、前記第２の通信チャネルを通じて、前記他の通信パートナー装置の通信手段に、呼びかけられうる前記通信イネーブル情報項目を伝送するように設計される、
請求項１に記載の通信パートナー装置。
【請求項７】
前記通信イネーブル情報項目は、インタフェースタイプ情報項目を有し、前記インタフェースタイプ情報項目は、前記通信イネーブル情報項目を含む前記通信パートナー装置において利用可能であって、前記第１の通信チャネルを通じた通信のために設計される、インタフェースのタイプを示す、請求項１に記載の通信パートナー装置。
【請求項８】
前記通信イネーブル情報項目は、前記インタフェースタイプ情報項目に加えて、インタフェースプリファランス情報項目を含み、前記インタフェースプリファランス情報項目は、前記通信イネーブル情報項目を含む前記通信パートナー装置において好適なインタフェースを示す、請求項７に記載の通信パートナー装置。
【請求項９】
前記通信イネーブル情報項目は、インタフェース指示情報項目を含み、前記インタフェース指示情報項目は、前記通信イネーブル情報項目を含む通信パートナー装置において利用可能であって、前記第１の通信チャネルを通じた通信のために設計される、インタフェースを示す、請求項１に記載の通信パートナー装置。
【請求項１０】
前記通信イネーブル情報項目は、通信パートナー指示情報項目を含み、前記通信パートナー指示情報項目は、前記通信イネーブル情報項目を含む前記通信パートナー装置を示す、請求項１に記載の通信パートナー装置。
【請求項１１】
少なくとも２つの通信パートナー装置を有する通信システムに属し、第１の通信チャネルを通じて前記通信システムの別の通信パートナー装置と通信するように設計される通信パートナー装置用の回路であって、
前記２つの通信パートナー装置のうち１つは、該１つの通信パートナー装置と他の通信パートナー装置との間の前記第１の通信チャネルを通じた通信を可能にするために使用される通信イネーブル情報項目を含み、
前記回路は、通信手段を形成する回路部分を有し、
前記通信手段は、第２の通信チャネルを通じて他の通信パートナー装置の通信手段と非接触の通信を行うように設計されるとともに、前記第２の通信チャネルを通じて通信する際、前記第１の通信チャネルを通じた通信を可能にするために必要な前記通信イネーブル情報項目を、前記第２の通信チャネルを通じた通信より前に前記通信イネーブル情報項目をまだ含まない前記通信パートナー装置において利用可能にするように設計される、回路。
【請求項１２】
前記通信手段は、前記第２の通信チャネルを通じた通信の開始直後に、前記通信イネーブル情報項目を利用可能にするように設計される、請求項１１に記載の回路。
【請求項１３】
前記通信手段は、前記第２の通信チャネルを通じて通信する際、通信プロトコルに従って通信するように設計され、
前記通信手段は、前記通信プロトコルの２つのアクティブ化コマンドの少なくとも１つを使用することによって、前記通信イネーブル情報項目を利用可能にするように設計され、前記アクティブ化コマンドは、前記第２の通信チャネルを通じて、第１のコマンドとして、前記通信プロトコルに従って前記２つの通信パートナー装置間で伝達されることができ、前記通信プロトコルに従って通信をアクティブにするために与えられる、請求項１２に記載の回路。
【請求項１４】
前記通信手段は、前記第２の通信チャネルを通じて、前記他の通信パートナー装置に含まれる前記通信イネーブル情報項目を受け取るように設計され、
前記回路は、前記第１の通信チャネルを通じた通信を可能にするために、前記通信手段によって受け取られる前記通信イネーブル情報項目を供給するように設計される供給段を有する、請求項１１に記載の回路。
【請求項１５】
前記回路は、前記通信パートナー装置に含まれる前記通信イネーブル情報項目について呼びかけるように設計される呼びかけ段を有し、
前記通信手段は、前記第２の通信チャネルを通じて、前記他の通信パートナー装置の通信手段に、呼びかけられうる前記通信イネーブル情報項目を伝送するように設計される、請求項１１に記載の回路。
【請求項１６】
前記通信イネーブル情報項目は、インタフェースタイプ情報項目を含み、前記インタフェースタイプ情報項目は、前記通信イネーブル情報項目を含む前記通信パートナー装置において利用可能であって、前記第１の通信チャネルを通じた通信のために設計される、インタフェースのタイプを示す、請求項１１に記載の回路。
【請求項１７】
前記通信イネーブル情報項目は、前記インタフェースタイプ情報項目に加えて、インタフェースプリファランス情報項目を含み、前記インタフェースプリファランス情報項目は、前記通信イネーブル情報項目を含む前記通信パートナー装置において好適なインタフェースを示す、請求項１６に記載の回路。
【請求項１８】
前記通信イネーブル情報項目は、インタフェース指示情報項目を含み、前記インタフェース指示情報項目は、前記通信イネーブル情報項目を含む前記通信パートナー装置において利用可能であって、前記第１の通信チャネルを通じた通信のために設計される、インタフェースを示す、請求項１１に記載の回路。
【請求項１９】
前記通信イネーブル情報項目は、通信パートナー指示情報項目を含み、前記通信パートナー指示情報項目は、前記通信イネーブル情報項目を含む前記通信パートナー装置を示す、請求項１１に記載の回路。
【請求項２０】
少なくとも２つ通信パートナー装置を有する通信システムに属する通信パートナー装置と、前記通信システムの別の通信パートナー装置との間の第１の通信チャネルを通じた通信を可能にするための通信イネーブリング方法であって、
前記２つの通信パートナー装置のうち１つが、通信イネーブル情報項目を含み、
前記通信イネーブル情報項目が、前記１つの通信パートナー装置と他の通信パートナー装置との間の前記第１の通信チャネルを通じた通信を可能にするために使用され、
非接触の通信が、前記１つの通信パートナー装置の通信手段及び前記他の通信パートナー装置の通信手段を使用して第２の通信チャネルを通じて行われ、
このような前記第２の通信チャネルを通じた通信の際、前記第１の通信チャネルを通じた通信を可能にするために必要な前記通信イネーブル情報項目が、前記第２の通信チャネルを通じた通信より前に前記通信イネーブル情報項目をまだ含まない前記通信パートナー装置において利用可能にされる、方法。
【請求項２１】
前記通信イネーブル情報項目は、前記第２の通信チャネルを通じた通信の開始直後に利用可能にされる、請求項２０に記載の方法。
【請求項２２】
前記第２の通信チャネルを通じた通信の際、通信は、通信プロトコルに従って行われ、
前記通信イネーブル情報項目は、前記通信プロトコルの２つのアクティブ化コマンドの少なくとも１つを使用することによって、前記通信プロトコルに従って、前記第２の通信チャネルを通じて前記２つの通信パートナー装置間で伝達され、
前記アクティブ化コマンドは、前記通信プロトコルに従って通信をアクティブにするために、前記通信プロトコルの第１のコマンドとして伝送される、請求項２１に記載の方法。
【請求項２３】
前記通信手段を用いて、前記通信イネーブル情報項目が、前記第２の通信チャネルを通じて受け取られ、
前記通信手段によって受け取られる前記通信イネーブル情報項目を供給するように設計される供給段を用いて、前記第１の通信チャネルを通じた通信を可能にするための前記通信イネーブル情報項目が供給される、請求項２０に記載の方法。
【請求項２４】
前記通信イネーブル情報項目が、前記通信手段によって利用可能にされるとすぐに、前記通信手段と対話するように設計されるとともに、前記他の通信パートナー装置との前記第１の通信チャネルを通じた通信を開始するために、供給された前記他の通信パートナー装置の前記通信イネーブル情報項目を使用するように設計される通信開始手段を用いて、前記第１の通信チャネルを通じた前記他の通信パートナー装置との通信が、利用可能にされた前記通信イネーブル情報項目を使用して開始される、請求項２０に記載の方法。
【請求項２５】
前記１つの通信パートナー装置の記憶手段に記憶されている前記通信イネーブル情報項目について呼びかけるように設計される呼びかけ段を用いて、前記記憶されている通信イネーブル情報項目が、前記記憶手段によって呼びかけられ、
前記通信手段を用いて、前記記憶手段によって呼びかけられた前記通信イネーブル情報項目が、前記第２の通信チャネルを通じて、前記他の通信パートナー装置の前記通信手段に伝送される、請求項２０に記載の方法。
【請求項２６】
前記通信イネーブル情報項目は、インタフェースタイプ情報項目を含み、前記インタフェースタイプ情報項目は、前記通信イネーブル情報項目を含む前記通信パートナー装置において利用可能であって、前記第１の通信チャネルを通じた通信のために設計される、インタフェースのタイプを示す、請求項２０に記載の方法。
【請求項２７】
前記通信イネーブル情報項目は、前記インタフェースタイプ情報項目に加えて、インタフェースプリファランス情報項目を含み、前記インタフェースプリファランス情報項目は、前記通信イネーブル情報項目を含む前記通信パートナー装置において好適なインタフェースを示す、請求項２６に記載の方法。
【請求項２８】
前記通信イネーブル情報項目は、インタフェース指示情報項目を含み、前記インタフェース指示情報項目は、前記通信イネーブル情報項目を含む前記通信パートナー装置において利用可能であって、前記第１の通信チャネルを通じた通信のために設計される、インタフェースを示す、請求項２０に記載の方法。
【請求項２９】
前記通信イネーブル情報項目は、通信パートナー指示情報項目を含み、前記通信パートナー指示情報項目は、前記通信イネーブル情報項目を含む前記通信パートナー装置を示す、請求項２０に記載の方法。
【発明の詳細な説明】
【技術分野】
【０００１】
本発明は、少なくとも２つの通信パートナー装置を有する通信システムに属し、第１の通信チャネルを通じて通信システムの別の通信パートナー装置と通信するように設計される通信パートナー装置であって、２つの通信パートナー装置のうちの１つが、１つの通信パートナー装置と他の通信パートナー装置との間の第１の通信チャネルを通じた通信を可能にするために使用される通信イネーブル情報項目を含む、通信パートナー装置に関する。
【０００２】
本発明は、更に、少なくとも２つの通信パートナー装置を有する通信システムに属し、第１の通信チャネルを通じて通信システムの別の通信パートナー装置と通信するように設計される通信パートナー装置用の回路であって、２つの通信パートナー装置のうちの１つが、１つの通信パートナー装置と他の通信パートナー装置との間の第１の通信チャネルを通じた通信を可能にするために使用される通信イネーブル情報項目を含む、回路にも関する。
【０００３】
本発明は、更に、少なくとも２つの通信パートナー装置を有する通信システムに属する通信パートナー装置と該通信システムの別の通信パートナー装置との間の第１の通信チャネルを通じた通信を可能にする通信イネーブリング方法であって、２つの通信パートナー装置のうちの１つが、通信イネーブル情報項目を含み、通信イネーブル情報項目が、１つの通信パートナー装置と他の通信パートナー装置との間の第１の通信チャネルを通じた通信を可能にするために使用される、方法にも関する。
【背景技術】
【０００４】
第２の段落に述べたタイプの回路を有し、第３の段落に述べたタイプの通信イネーブリング方法を実施するために使用されることができる第１の段落に述べたタイプの通信パートナー装置は、市販されており、従って、通信パートナー装置、回路及び通信イネーブリング方法は知られている。
【０００５】
第１の段落に述べたタイプの既知の通信パートナー装置は、ブルートゥースインタフェースとして知られるものをもつラップトップである。ブルートゥースインタフェースを使用して、第１の通信チャネルを通じて、すなわちブルートゥース通信チャネルを通じて、多くとも約１００メートルのブルートゥース通信レンジ内にある別の通信パートナー装置と非接触の通信を行うことが可能である。他の通信パートナー装置は、同様にブルートゥースインタフェースをもつプリンタである。印刷情報項目は、ラップトップから第１の通信チャネルを通じてプリンタに伝達されることができ、このような通信の開始時に、ラップトップが、元々プリンタのみに含まれる通信イネーブル情報項目によってプリンタに応答する場合、プリンタによって紙に印刷されることができる。通信イネーブル情報項目は、第１の通信チャネルを通じた通信のために、ラップトップ上で走るソフトウェアアプリケーションに予め与えられる。このために、最初に、ラップトップは、プリンタとのコンタクトの取り込みを検索し、ブルートゥースによってイネーブルされるプリンタが、ラップトップの通信レンジ内において検出されると、ブルートゥース接続が、ブルートゥース通信チャネルを通じてプリンタに対してセットアップされる。プリンタとの通信を可能にするために与えられる通信イネーブル情報項目は、ブルートゥース通信チャネルを通じてラップトップに利用可能にされる。ラップトップ上で走るソフトウェアアプリケーションは、通信イネーブル情報項目を使用することによって、ブルートゥース通信チャネルを通じてプリンタに応答し、プリンタに印刷情報項目を伝達することができる。
【発明の開示】
【発明が解決しようとする課題】
【０００６】
既知の通信パートナー装置、すなわちラップトップにおいて、第１の通信チャネルを通じて通信イネーブル情報項目を利用可能にすることが、遅く複雑なやり方で行われるという問題がある。更なる問題は、ブルートゥース通信チャネルを通じて通信するように設計される複数の他の通信パートナー装置が、ラップトップの通信レンジ内にある場合、伝送の際及び通信イネーブル情報項目を利用可能にする際の付加的な遅延が、実際に、回避できないことである。その理由は、最初に、通信レンジ内にあるすべての通信パートナー装置が、他の通信パートナー装置の各々からそれに含まれる通信イネーブル情報項目を伝送するためにコンタクトされ、それによって、ラップトップのユーザは、ラップトップが、通信パートナーとして他の通信パートナー装置のどれを使用しなければならないかについて、ソフトウェアアプリケーションを使用して手動選択を行うことができる。
【０００７】
本発明の目的は、第１の段落に述べたタイプの通信パートナー装置、第２の段落に述べたタイプの回路及び第３の段落に述べたタイプの通信イネーブリング方法において上述の問題を解決し、改善された通信パートナー装置、改善された回路及び改善された通信イネーブリング方法を提供することである。
【課題を解決するための手段】
【０００８】
上述の目的を達成するために、本発明による通信パートナー装置は本発明による特徴を備え、従って、本発明による通信パートナー装置は、次のように特徴付けられることができる。すなわち、通信パートナー装置は、それが少なくとも２つのそのような通信パートナー装置を有する通信システムに属し、第１の通信チャネルを通じて通信システムの別の通信パートナー装置と通信するように設計され、２つの通信パートナー装置のうちの１つが、１つの通信パートナー装置と他の通信パートナー装置との間の第１の通信チャネルを通じた通信を可能にするために使用される通信イネーブル情報項目を含み、通信パートナー装置が、通信手段を形成する回路部分を有する電気回路と対話するように設計され、前記通信手段が、第２の通信チャネルを通じて、他の通信パートナー装置の通信手段と非接触の通信を行うように設計されるとともに、第２の通信チャネルを通じて通信する際、第１の通信チャネルを通じた通信を可能にするために必要な通信イネーブル情報項目を、第２の通信チャネルを通じた通信より前に通信イネーブル情報項目をまだ含まない通信パートナー装置において利用可能にするように設計される、ことを特徴とする。
【０００９】
上述の目的を達成するために、本発明による回路は、本発明による特徴を備え、従って、本発明による回路は、次のように特徴付けられることができる。すなわち、通信パートナー装置用の回路は、通信パートナー装置が、少なくとも２つのこのような通信パートナー装置を有する通信システムに属し、第１の通信チャネルを通じて通信システムの別の通信パートナー装置と通信するように設計され、２つの通信パートナー装置のうちの１つが、１つの通信パートナー装置と他の通信パートナー装置との間の第１の通信チャネルを通じた通信を可能にするために使用される通信イネーブル情報項目を含み、前記回路が、通信手段を形成する回路部分を有し、前記通信手段が、第２の通信チャネルを通じて他の通信パートナー装置の通信手段と非接触の通信を行うように設計されるとともに、第２の通信チャネルを通じて通信する際、第１の通信チャネルを通じた通信を可能にするために必要な通信イネーブル情報項目を、第２の通信チャネルを通じた通信より前に通信イネーブル情報項目をまだ含まない通信パートナー装置において利用可能にするように設計される、ことを特徴とする。
【００１０】
上述の目的を達成するために、本発明による通信イネーブリング方法は、本発明による特徴を備え、従って、本発明による通信イネーブリング方法は、次のように特徴付けられることができる。すなわち、少なくとも２つの通信パートナー装置を有する通信システムに属する通信パートナー装置と、該通信システムの別の通信パートナー装置と、の間の第１の通信チャネルを通じた通信を可能にするための通信イネーブリング方法は、２つの通信パートナー装置のうちの１つが、通信イネーブル情報項目を含み、通信イネーブル情報項目が、１つの通信パートナー装置と他の通信パートナー装置との間の第１の通信チャネルを通じた通信を可能にするために使用され、非接触の通信が、１つの通信パートナー装置の通信手段及び他の通信パートナー装置の通信手段を使用して、第２の通信チャネルを通じて行われ、第２の通信チャネルを通じてこのような通信が行われる際、第１の通信チャネルを通じた通信を可能にするために必要な通信イネーブル情報項目が、第２の通信チャネルを通じた通信より前に通信イネーブル情報項目をまだ含まない通信パートナー装置において利用可能にされる、ことを特徴とする。
【００１１】
本発明による方策を提供することによって、複数の他の通信装置があるときでも、通信イネーブル情報項目が、第１の通信チャネルの使用を回避しながら、できるだけ複雑でないやり方で、１つの通信パートナー装置又は他の通信パートナー装置において利用可能にされることにより、別の通信パートナー装置との事前の接続セットアップ時に長々しい試みを必要とすることなく、又は通信イネーブル情報項目を利用可能にするためにーザによる付加の手動動作を必要とすることなく、通信パートナー装置間の第１の通信チャネルを通じた通信を可能にするという利点が得られる。
【００１２】
本発明による解決策において、請求項２、請求項１２又は請求項２１に記載の特徴が付加的に与えられる場合に有利であることも分かった。その結果、通信イネーブル情報項目が、できるだけ迅速に利用可能にされるという利点が得られる。
【００１３】
本発明による解決策において、例えば、通信イネーブル情報項目は、この目的のために与えられるユーザプロトコルのコマンドを用いて、例えば、通常の有用なデータ伝送コマンド又は通常の有用なデータ受信コマンドを用いて、相対的に早く伝達されることができ、この場合、通信イネーブル情報項目は、個々のコマンドに関する有用なデータ引数として知られるものを形成することができる。しかしながら、請求項３、請求項１３又は請求項２２に記載の特徴が付加的に与えられる場合に特に有利であることが分かった。その結果、実際に、通信プロトコルがアクティブにされるとすぐに、通信プロトコルに従って通信するための有用なデータ伝送コマンド又は有用なデータ受信コマンドが利用できるようになる前であっても、通信イネーブル情報項目が、利用可能にされるという利点が得られる。
【００１４】
本発明による解決策において、請求項４、請求項１４又は請求項２３に記載の特徴が付加的に与えられる場合に有利であることも分かった。その結果、第２の通信チャネルを通じて他の通信パートナー装置によって受け取られた通信イネーブル情報項目は、以降の使用のために、１つの通信パートナー装置において確実に供給され又は記憶されるという利点が得られる。
【００１５】
本発明による解決策において、請求項５又は請求項２４に記載の特徴が付加的に与えられる場合に有利であることが更に分かった。その結果、通信イネーブル情報項目の受信の直後に、第１の通信チャネルは、通信用に使用され、必要に応じて、このような通信によって占有されるように示されることが可能であり、それによって、第１の通信チャネルは、もっぱら１つの通信パートナー装置と他の通信パートナー装置との間の通信のために利用可能になるという利点が得られる。
【００１６】
本発明による解決策において、請求項６、請求項１５又は請求項２５に記載の特徴が付加的に与えられる場合に有利であることが更に分かった。その結果、１つの通信パートナー装置に含まれる１つの通信イネーブル情報項目は、第１の通信チャネルに関係なく、第２の通信チャネルを通じて通信手段を用いて伝達されることができるという利点が得られる。
【００１７】
本発明による解決策において、請求項７、請求項１６又は請求項２６に記載の特徴が付加的に与えられ場合に有利であることが更に分かった。その結果、通信イネーブル情報項目は、第１の通信チャネルを通じて通信するのに適した通信パートナー装置においてインタフェースを選択するために使用されることができるという利点が得られる。
【００１８】
本発明による解決策において、請求項８、請求項１７又は請求項２７に記載の特徴が付加的に与えられる場合に有利であることが更に分かった。その結果、通信イネーブル情報項目が、多数の適切なインタフェースの中から、第１の通信チャネルを通じて通信するのに好適なインタフェースを選択するために使用されることができるという利点が得られる。
【００１９】
本発明による解決策において、請求項９、請求項１８又は請求項２８に記載の特徴が付加的に与えられる場合に有利であることが更に分かった。その結果、インタフェース指示情報項目によって示されるインタフェースは、第１の通信チャネルを通じて通信する際、明確に応答されることができ、複数の同様のインタフェースがあるときでも、第１の通信チャネルを通じて通信するために実際に望まれるインタフェースと別の同様のインタフェースとの間の混同が、確実に回避されるという利点が得られる。
【００２０】
本発明による解決策において、請求項１０、請求項１９又は請求項２９に記載の特徴が付加的に与えられる場合に有利であることが更に分かった。その結果、第１の通信チャネルを通じた通信の際、個々の望ましい通信パートナー装置の明確な識別、明確なアドレッシング又は選択が確実にされるという利点が得られる。
【００２１】
本発明の上述の見地及び他の見地は、後述する実施例から明らかになり、その実施例に基づいて説明される。
【発明を実施するための最良の形態】
【００２２】
本発明は、図面に示した実施例を参照して更に詳しく説明されるが、本発明は、そのような実施例に限定されない。
【００２３】
図１は、第１の通信パートナー装置２Ａ及び第２の通信パートナー装置２Ｂを有する通信システム１を示す。２つの通信パートナー装置２Ａ及び２Ｂは、第１の通信レンジ３内に配置される。第１の通信レンジ３は、破線を用いて、そのアウトラインの図形表現によって示されている。各々の通信パートナー装置２Ａ又は２Ｂは、カーブした両方向矢印によって示される第１の通信チャネル４を通じて、他方の通信パートナー装置２Ｂ又は２Ａと非接触の通信を行うようにそれぞれ設計される。第１の通信パートナー装置２Ａは、第１の通信イネーブル情報項目ＣＥＩＡを含み、第２の通信パートナー装置２Ｂは、第２の通信イネーブル情報項目ＣＥＩＢを含む。２つの通信イネーブル情報項目ＣＥＩＡ及びＣＥＩＢは、一方の通信パートナー装置２Ａと他方の通信パートナー装置２Ｂとの間の第１の通信チャネル４を通じた、この場合非接触の通信を可能にするために使用される。
【００２４】
２つの通信パートナー装置２Ａ及び２Ｂは更に、直線の両方向矢印によって示される第２の通信チャネル７を通じて非接触の通信を行うように設計され、第２の通信チャネル７を通じて通信する際、２つの通信イネーブル情報項目ＣＥＩＡ及びＣＥＩＢは、２つの通信パートナー装置２Ａ及び２Ｂの間で交換されることができる。
【００２５】
第２の通信チャネル７を通じて非接触の通信を行うために、第１の通信パートナー装置２Ａは、第１の通信手段５Ａを有し、第２の通信パートナー装置２Ｂは、第２の通信手段５Ｂを有する。第１の通信手段５Ａは、第２の通信チャネル７を通じて第２の通信手段５Ｂと非接触の通信を行うように設計され、第２の通信チャネル７を通じた通信の際、第１の通信チャネル４を通じた通信を可能にするために必要な第１の通信イネーブル情報項目ＣＥＩＡを利用可能にすることが、第２の通信チャネル７を通じた通信より前に第１の通信イネーブル情報項目ＣＥＩＡをまだ含まない第２の通信パートナー装置２Ｂにおいて行われる。同様に、第２の通信手段５Ｂは、第２の通信チャネル７を通じて第１の通信手段５Ａと非接触の通信を行うように設計され、第２の通信チャネル７を通じた通信の際、第１の通信チャネル４を通じた通信を可能にするために必要な第２の通信イネーブル情報項目ＣＥＩＢを利用可能にすることが、第２の通信チャネルを通じた通信より前に第２の通信イネーブル情報項目ＣＥＩＢをまだ含まない第１の通信パートナー装置２Ａにおいて行われる。第２の通信チャネル７を通じたこのような通信は、２つの通信手段５Ａ及び５Ｂが第２の通信レンジ６内に位置するときに可能である。図１には、第２の通信レンジ６が、破線を用いて、そのアウトラインの図形表現によって示されている。通信手段５Ａ及び５Ｂは、本例において、近距離通信手段（要するに、ＮＦＣ（near-field communication）手段）として知られるものを形成する。ＮＦＣ手段を用いて、通信は、第２の通信チャネル７を通じて、数センチメートルの距離において、すなわち狭い第２の通信レンジ６内でのみ可能である。
【００２６】
図４に詳しく示す第１の通信パートナー装置２Ａは、それに供給されうるインタフェース伝送情報項目ＴＩと、第２の通信イネーブル情報項目ＣＥＩＢとを受け取るように設計される第１のインタフェース手段８Ａを有する。第１のインタフェース手段８Ａは、更に、第１の通信チャネル４を通じて第２の通信パートナー装置２Ｂにインタフェース伝送情報項目ＴＩを非接触に伝送するために、第２の通信イネーブル情報項目ＣＥＩＢを使用するように設計される。このために、第１のインタフェース手段８Ａは、第１のブルートゥースインタフェース９、赤外光インタフェース１０及びワイヤレスＬＡＮインタフェース１１として知られるものを有する。
【００２７】
本例において赤外光、ブルートゥース及びワイヤレスＬＡＮによって与えられる３つのインタフェース９、１０及び１１の個々のタイプに対応して、第１の通信イネーブル情報項目ＣＥＩＡは、第１の通信パートナー装置２Ａにおいて利用できるインタフェースのタイプを示す第１のインタフェースタイプ情報項目ＩＴＩＡを含む。第１の通信イネーブル情報項目ＣＥＩＡは、第１のインタフェースタイプ情報項目ＩＴＩＡに加えて、インタフェースプリファランス情報項目ＩＰＩＡを含む。インタフェースプリファランス情報項目ＩＰＩＡは、好適なインタフェース９、１０又は１１に対応するインタフェースが、他方の通信パートナー装置２Ｂにおいても利用可能であるという条件で、好適なインタフェース９、１０又は１１を使用して第１の通信チャネルを通じて通信することを可能にするために、第１の通信パートナー装置２Ａにおいて好適であるインタフェース９、１０又は１１を示す。この点について、インタフェース９、１０又は１１のうちの１つに対するプリファランスは、インタフェース９、１０及び１１の間の個々の通信負荷分散の結果として、又はインタフェース９、１０又は１１に生じる若しくは過去に生じた個々の通信エラーレートの結果として、現れうることが言及されるべきである。第１の通信イネーブル情報項目ＣＥＩＡは、更に、第１のインタフェース指示情報項目ＩＳＮＡを含む。第１のインタフェース指示情報項目ＩＳＮＡは、第１の通信パートナー装置２Ａにおいて利用可能なそれぞれのインタフェース９、１０又は１１を示し、個々のインタフェース９、１０又は１１の明確な指示を与える。インタフェース指示情報項目ＩＳＮＡは、本例において、３つの第１のインタフェース一連番号によって形成される。いずれの場合においても、インタフェース一連番号の１つは、インタフェース９、１０又は１１のまさに１つに対するユニークなものであり、それによって、他方の通信パートナー装置２Ｂは、第１の通信チャネル４を通じて通信する際、個々のインタフェース９、１０又は１１に明確に応答するためにそれを使用することができる。しかしながら、第１のインタフェース指示情報項目ＩＳＮＡは、論理アドレス又は物理アドレスによって形成されることもできる。論理アドレス又は物理アドレスは、第１の通信チャネル４を通じた通信の際、個々のインタフェース９、１０又は１１を明確にアドレスするために使用されることができる。第１の通信イネーブル情報項目ＣＥＩＡは、更に、第１の通信パートナー指示情報項目ＣＤＩＡを含む。第１の通信パートナー指示情報項目ＣＤＩＡは、第１の通信パートナー装置２Ａを示し、通信パートナー装置２Ａの識別を可能にする。更に、第１の通信パートナー装置２Ａは、それに含まれる第１の通信イネーブル情報項目ＣＥＩＡを記憶するために設けられる第１の記憶手段１２Ａを有する。
【００２８】
更に、第１の通信パートナー装置２Ａは、第１の通信制御手段１３Ａを有する。第１の通信制御手段１３Ａは、第１のインタフェース手段８Ａを制御するように、すなわち第１の通信チャネル４を通じた通信を制御するように設計される。このために、第１の通信制御手段１３Ａは、伝達されるべきインタフェース伝送情報項目ＴＩと、第１の通信手段５Ａによってそれらに利用可能にされた第２の通信イネーブル情報項目ＣＥＩＢと、を第１のインタフェース手段８Ａに伝送するように設計される。第１の通信制御手段１３Ａは、更に、通信開始手段を形成する。通信開始手段は、第１の通信手段５Ａと対話するように設計されるとともに、他方の通信パートナー装置２Ｂの通信イネーブル情報項目ＣＥＩＢを使用するように設計される。通信イネーブル情報項目ＣＥＩＢは、それが第１の通信手段５Ａによって利用可能にされるとすぐに、第１の通信チャネル４を通じて他方の通信パートナー装置２Ｂと通信を開始するために利用可能にされる。
【００２９】
第１の通信制御手段１３Ａは、更に、第１の通信手段５Ａの要求時に第１の記憶手段１２Ａにアクセスし、第１の記憶手段１２Ａから第１の通信イネーブル情報項目ＣＥＩＡを読み取り、第１の通信手段５Ａに第１の通信イネーブル情報項目ＣＥＩＡを伝送するように設計される。
【００３０】
第１の通信パートナー装置２Ａは、更に、第１の通信手段５Ａに関連する電気回路１４Ａと対話するように設計される。回路１４Ａは、第１の通信手段５Ａを形成するための回路部分を有する。
【００３１】
第１の通信手段５Ａは、更に、発振生成手段１５Ａ、第１の適合手段１６Ａ、第２の適合手段１７Ａ及び伝送手段１８Ａを有し、これらの手段１５Ａ、１６Ａ、１７Ａ及び１８Ａは、第１の通信パートナー装置２Ａの回路１４Ａの外部に配置され、第１の回路１４Ａと対話するように設計され、設けられる。発振生成手段１５Ａは、発振器信号ＯＳを生成し伝送するように設計される結晶発振回路によって形成される。第１及び第２の適合手段１６Ａ及び１７Ａは、いずれの場合も、回路１４Ａのインピーダンスを伝送手段１８Ａのインピーダンスに適合させるように設計される。伝送手段１８Ａは、本例において、図５に示さないアンテナによって形成される。アンテナを用いて、第２の通信チャネルを通じて通信する際に伝送手段１８Ａに生じる信号が、回路１４Ａと伝送手段１８Ａの環境との間で伝送されることができる。しかしながら、伝送手段１８Ａは、通信コイル構造によって形成されることもできる。通信コイル構造を用いて、誘導結合が、それに対応する第２の通信パートナー装置２Ａの手段に対してもたらされることができることが言及されなければならない。
【００３２】
図６に示す回路１４Ａは、第１の端子１９、第２の端子２０、第３の端子２１、第４の端子２２、第５の端子２３、第６の端子２４及び第７の端子２５を有する。第１及び第２の端子１９及び２０によって、回路１４Ａは、基準電位ＧＮＤに関して供給電圧Ｖを供給されることができ、それによって、回路１４Ａは、その動作のための電気的パワーを供給されることができる。第３の端子２１を用いて、回路１４Ａは、発振生成手段１５Ａによって発振器信号ＯＳを供給されることもできる。第４の端子２２において、回路１４Ａは、第１の適合手段１６Ａに接続されることができる。回路１４Ａによって能動的に生成されうる伝送信号ＳＳは、第４の端子２２を介して第１の適合手段１６Ａに伝送されることができ、第１の適合手段１６Ａは、そののち、伝送手段１８Ａに伝送信号ＳＳを伝送する。回路１４Ａは、更に、第５の端子２３において第１の適合手段１６Ａに接続されることができる。伝送手段１８Ａによって受信されうる受信信号ＲＳは、受信信号ＲＳとして第１の適合手段１６Ａを通して導かれたのち、回路１４Ａの第５の端子２３に供給されることができる。回路１４Ａは、更に、その第６の端子２４において第２の適合手段１７Ａに接続されることができる。回路１４Ａによって生成されうる負荷変調信号ＬＭは、第６の端子２４を介して、伝送手段１８Ａに現れる信号Ｓに影響を与え、信号Ｓの負荷変調をもたらす。
【００３３】
回路１４Ａは、更に、発振器信号処理段２６を有する。発振器信号処理段２６は、発振器信号ＯＳを受け取り、クロック信号ＣＬＫ、キャリア信号ＣＳ及びサブキャリヤ信号ＳＣＳを生成し、伝送するように設計される。
【００３４】
回路１４Ａは、更に、処理制御段２７を有する。処理制御段２７は、シーケンス制御手段を形成するとともに、クロック信号ＣＬＫを受け取り、クロック信号ＣＬＫを考慮して、クロック同期するやり方で情報の処理を制御し、第１の通信手段５Ａの第２の通信チャネル７を通じた通信を制御するように設計される。処理制御段２７は、この点について、第１の伝送情報項目ＳＩ１及び第２の伝送情報項目ＳＩ２を生成し、伝送するように設計される。処理制御段２７は、更に、受信情報項目ＲＩを受け取り、処理するように設計される。処理制御段２７は、更に、インタロゲーション（呼びかけ）段２７’を形成する。呼びかけ段２７’は、第１の通信制御手段１３Ａを使用して、記憶手段１２Ａに記憶された通信イネーブル情報項目ＣＥＩＡについて呼びかけ、第１の通信制御手段１３Ａから前記通信イネーブル情報項目ＣＥＩＡを受け取るように設計される。従って、通信手段５Ａは、回路１４Ａを用いて、第１の通信制御手段１３Ａと対話し、記憶手段１２Ａに記憶された第１の通信イネーブル情報項目ＣＥＩＡについて呼びかけるために第１の通信制御手段１３Ａを使用するように設計される。呼びかけられうる第１の通信イネーブル情報項目ＣＥＩＡは、第７の端子２５を介して回路１４Ａに供給されることができる。
【００３５】
処理制御段２７は、更に、供給段２７’’を形成する。供給段２７’’は、受信情報項目ＲＩによって受け取られることができる第２の通信イネーブル情報項目ＣＥＩＢを、第１の通信パートナー装置２Ａの第１の通信制御手段１３Ａに供給するように設計される。従って、第１の通信手段５Ａは、回路１４Ａを用いて第１の通信制御手段１３Ａと対話し、受け取られた第２の通信イネーブル情報項目ＣＥＩＢをインタフェース手段８Ａに供給するように設計される。供給されうる第２の通信イネーブル情報項目ＣＥＩＢは、第７の端子２５を介して第１の通信制御手段１３Ａに伝送されることができる。
【００３６】
回路１４Ａは、更に、コマンド生成段２８を有する。コマンド生成段２８は、伝送情報項目ＳＩ１を表す第１のコマンド情報項目ＣＩ１を生成し、伝送するために、第１の伝送情報項目ＳＩ１を受け取り、第１の伝送情報項目ＳＩ１を使用するように設計される。回路１４Ａは、更に、第１の符号化段２９を有する。第１の符号化段２９は、サブキャリヤ信号ＳＣＳを受け取り、第１のコマンド情報項目ＣＩ１を受け取り、サブキャリヤ信号ＳＣＳとクロック同期するやり方で、第１のコマンド情報項目ＣＩ１を表す第１の符号化されたコマンド情報項目ＣＣＩ１を生成し、伝送するように設計される。回路１４Ａは、更に、変調段３０を有する。変調段３０は、キャリア信号ＣＳ及び第１の符号化されたコマンド情報項目ＣＣＩ１を受け取り、第１の符号化されたコマンド情報項目ＣＣＩ１の関数として、キャリア信号ＣＳを変調するように設計される。変調段３０は、キャリア信号ＣＳの変調の結果として、第４の端子２２に伝送信号ＳＳを生成し、伝送するように設計される。変調段３０は、本例において、キャリア信号ＣＳの振幅変調を行うように設計され、それによって、第１の符号化されたコマンド情報項目ＣＣＩ１に依存して、振幅変調されたキャリア信号ＣＳ又は変調されないキャリア信号ＣＳのいずれかが、伝送信号ＳＳとして、伝送手段１８Ａによって伝送されることができる。しかしながら、変調段３０は、位相変調又は周波数変調を行うように設計されることもできることが言及されなければならない。
【００３７】
回路１４Ａは、更に、フィルタ段３１を有する。フィルタ段３１は、受信信号ＲＳを受け取り、少なくとも１つの周波数帯域に関して受信信号ＲＳをフィルタリングし、フィルタリングされた受信信号ＦＲＳを伝送するように設計される。回路１４Ａは、更に、復調器段３２を有する。復調器段３２は、フィルタリングされた受信信号ＲＳを受け取り、フィルタリングされた受信信号ＦＲＳを復調し、フィルタリングされた受信信号ＦＲＳを表す復調された受信信号ＤＲＳを伝送するように設計される。回路１４Ａは、更に、デコーダ段３３を有する。デコーダ段３３は、復調された受信信号ＤＲＳを受け取り、復号し、復調された受信信号ＤＲＳを表す復号された受信信号ＤＣＲＳを伝送するように設計される。回路１４Ａは、更に、受信情報項目認識段３４を有する。受信情報項目認識段３４は、復号された受信信号ＤＣＲＳを受け取り、復号された受信信号ＤＣＲＳに含まれる受信情報項目ＲＩを認識し、この認識された受信情報項目ＲＩを処理制御段２７に伝送するように設計される。
【００３８】
回路１４Ａは、更に、応答コマンド生成段３５を有する。応答コマンド生成段３５は、第２の伝送情報項目ＳＩ２を受け取り、第２の伝送情報項目ＳＩ２を表す第２のコマンド情報項目ＣＩ２を生成し、伝送するように設計される。回路１４Ａは、更に、第２の符号化段３６を有する。第２の符号化段３６は、サブキャリヤ信号ＳＣＳ及び第２のコマンド情報項目ＣＩ２を受け取り、サブキャリヤ信号ＳＣＳにクロック同期するやり方で、第２のコマンド情報項目ＣＩ２を表す第２の符号化された情報項目ＣＣＩ２を生成し、伝送するように設計される。回路１４Ａは、更に、負荷変調段３７を有する。負荷変調段３７は、第２の符号化されたコマンド情報項目ＣＣＩ２を受け取り、伝送手段１８に生じており且つこの場合には信号Ｓを形成する、外部で生成された、変調されていないキャリア信号を使用し、負荷変調信号ＬＭＳを生成するように設計される。
【００３９】
回路１４Ａは、更に、処理データ記憶段３８を有する。処理データ記憶段３８は、例えば情報項目ＣＥＩＡ、ＣＥＩＢ、ＳＩ１、ＲＩ又はＳＩ２のような情報項目を処理する際に生じる処理データＰＤを記憶するために設けられる。
【００４０】
電気回路１４Ａは、本例において、集積回路によって形成される。端子１９乃至２５は、端子１９乃至２５に対応する第１の通信パートナー装置２Ａの反対側の端子に、固定的に接続される。反対側の端子は、図４に示されていない。しかしながら、この点について、回路１４Ａは、更に、第１の通信パートナー装置２Ａに挿入され、そこから除去されうるデータキャリアの一部を形成することもできることが言及されなければならない。このような場合、端子１９乃至２５は、それらに対して相補的である第１の通信パートナー装置２Ａの反対側の手段と対話するように設計されるプラグイン接続手段又は２次元連絡手段によって形成される。
【００４１】
回路１４Ａ並びに手段１５Ａ、１６Ａ、１７Ａ及び１８Ａを使用して、第１の通信手段５Ａは、以下に手短にＥＣＭＡ標準と称されるＥＣＭＡ／ＴＣ３２−ＴＧ１９／２００２／１３標準に従って通信するように設計される。この場合、アクティブ伝送パスは、段２７、２８、２９及び３０によって形成され、パッシブ伝送パスは、段２７、３５、３６及び３７によって形成される。これら２つの伝送パスを通じて、第１の通信イネーブル情報項目ＣＥＩＡは、第２の通信手段５Ｂに伝達されることができる。両方の伝送パスに関して、段３１、３２、３３、３４及び２７は、共通の受信パスを形成し、共通の受信パスを通じて、第２の通信イネーブル情報項目ＣＥＩＢは、第２の通信手段５Ｂによって受け取られることができる。結果的に、ＥＣＭＡ標準に従うアクティブ通信モードは、アクティブ伝送パス及び共通の受信パスによって形成されることができる。更に、ＥＣＭＡ標準に従うパッシブ通信モードは、パッシブ伝送パス及び共通の受信パスによって形成されることができる。
【００４２】
通信手段５Ａは、更に、第２の通信チャネルを通じた通信の開始直後に、２つの通信イネーブル情報項目ＣＥＩＡ及びＣＥＩＢを利用可能にするように設計される。このために、第１の通信手段５Ａは、更に、２つのアクティブ化コマンド、すなわち、「属性要求」と称される第１のアクティブ化コマンド及び「属性応答」と称される第２のアクティブ化コマンドを使用することによって、個々の通信イネーブル情報項目ＣＥＩＡ又は中でＣＥＩＢを、それぞれの場合に他方の通信パートナー装置２Ａ又は２Ｂにおいて利用可能にするように設計される。２つのアクティブ化コマンドは、ＥＣＭＡ標準の通信プロトコルに従って２つの通信パートナー装置２Ａ及び２Ｂの間で、第２の通信チャネル７を通じて第１のコマンドとして伝達されることができ、通信プロトコルに従って、ＥＣＭＡ標準に従って、通信をアクティブにするために供給される。本例において、第１の通信パートナー装置２Ａは、第２の通信チャネル７を通じて通信を開始し、従って第２の通信パートナー装置２Ｂに第１のアクティブ化コマンドを伝送するように設計される。
【００４３】
図２に詳細に示す第１のアクティブ化コマンド３９は、第１のバイトとして１６進値「Ｄ４」を有し、第２のバイトとして１６進値「００」を有し、これは、ＥＣＭＡ標準に従う。第１のアクティブ化コマンド３９は、更に、ＥＣＭＡ標準に従う場合に乱数用に与えられる１０バイト、４２乃至５１を有する。しかしながら、この１０バイトは、ＥＣＭＡ標準とは異なり、この乱数用ではなく、第１の通信チャネルを通じて通信するための好適なインタフェース９、１０又は１１の第１のインタフェース指示情報項目ＩＳＮＡ、すなわち好適なインタフェース９、１０又は１１に属するインタフェース一連番号用である。第１のアクティブ化コマンド３９の更なる４バイト、５２乃至５５は、ＥＣＭＡ標準に従って占有される。第１のアクティブ化コマンド３９は、更に、ＥＣＭＡ標準、インタフェースタイプ情報項目ＩＴＩＡ、インタフェースプリファランス情報項目ＩＰＩＡ、好適でないインタフェース９及び１０又は９及び１１又は１０及び１１の残りの２つのインタフェース一連番号、及び更に通信パートナー指示情報項目ＣＤＩＡに従って与えられる一般のバイト５６−０乃至５６−Ｎを更に有する。
【００４４】
図５にその一部について詳細に示す第２の通信パートナー装置２Ｂは、図４に示す第１の通信パートナー装置２Ａと同様に、第２のインタフェース手段８Ｂを有する。第２のインタフェース手段８Ｂは、第１の通信チャネル４を通じて通信するために、第１の通信パートナー装置２Ａの第１のインタフェース手段８Ａに対応して設計され、設けられる。第２のインタフェース手段８Ｂは、本例においては、第２のブルートゥースインタフェース５７によって形成される。
【００４５】
第２の通信パートナー装置２Ｂは、更に、第２の記憶手段１２Ｂを有する。第２の記憶手段１２Ｂは、第１の記憶手段１２Ａと同じ目的で、すなわち、第２の通信イネーブル情報項目ＣＥＩＢを記憶するために設けられる。本例において、第２のインタフェース指示情報項目ＩＳＮＢを形成するユニークなインタフェース一連番号に加えて、第２のインタフェースタイプ情報項目ＩＴＩＢ及び第２の通信パートナー指示情報項目ＣＤＩＢが更に与えられる。シングルインタフェース、すなわち、ブルートゥースインタフェース５７だけがあるので、第１のインタフェースプリファランス情報項目ＩＰＩＡに対応するインタフェースプリファランス情報項目は与えられない。しかしながら、複数のインタフェースが第２の通信パートナー装置２Ｂにある場合、第２の通信イネーブル情報項目ＣＥＩＢが、第１の通信イネーブル情報項目ＣＥＩＡに与えられるすべての詳細を含んでもよいことが言及されなければならない。
【００４６】
第２の通信パートナー装置２Ｂは、更に、第２の通信制御手段１３Ｂを有する。第２の通信制御手段１３Ｂは、第１の通信パートナー装置２Ａの第１の通信制御手段１３Ａと同様に、第２のインタフェース手段８Ｂを制御するように、又は第１の通信チャネル４を通じた通信を制御するように設計される。更に、第２の通信制御手段１３Ｂは、インタフェース手段８Ｂによって受け取られたインタフェース伝送情報項目ＴＩを、プリンタ段５６に伝送するように設計される。プリンタ段５６は、インタフェース伝送情報項目ＴＩの少なくとも印刷可能な部分を紙に印刷するように設計される。
【００４７】
第２の通信パートナー装置２Ｂは、更に、手段１５Ｂ、１６Ｂ、１７Ｂ及び１８Ｂを有する。手段１５Ｂ、１６Ｂ、１７Ｂ及び１８Ｂは、第２の通信手段５Ｂに関連し、第１の通信パートナー装置２Ａに設けられる手段１５Ａ、１６Ａ、１７Ａ及び１８Ａと機能的に同じである。
【００４８】
第２の通信パートナー装置２Ｂは、更に、第２の通信手段５Ｂに関連する第２の回路１４Ｂを有する。第２の回路１４Ｂは、その設計及び機能に関して、図６に示す第１の回路１４Ａと同じである。
【００４９】
ＥＣＭＡ標準の通信プロトコルを使用して、本例において、第２の通信パートナー装置２Ｂは、第１のアクティブ化コマンド３９を受け取り、第１のアクティブ化コマンド３９に対する応答として、図３に詳細に示す第２のアクティブ化コマンド５９を伝送するように設計される。
【００５０】
第２のアクティブ化コマンド５９は、第１のバイト６０として１６進値「Ｄ５」を有し、第２のバイト６１として１６進値「０１」を有し、これはＥＣＭＡ標準に従う。第２のアクティブ化コマンド５９は、更に、ＥＣＭＡ標準に従って乱数用に与えられる１０バイト、６２乃至７１を更に有する。しかしながら、この１０バイトは、ＥＣＭＡ標準と異なり、この乱数用ではなく、第１の通信チャネル４を通じて通信するのに好適なインタフェースの第２のインタフェース指示情報項目ＩＳＮＢ、すなわち本例においては、第２の通信パートナー装置２Ｂに含まれる第２のブルートゥースインタフェース５７のユニークなインタフェース一連番号用である。更なる５バイト、７０乃至７５は、ＥＣＭＡ標準に従って予約される。第２のアクティブ化コマンド５９は、更に、ＥＣＭＡ標準、第２のインタフェースタイプ情報項目ＩＴＩＢ及び通信パートナー指示情報項目ＣＤＩＢに従って与えられる一般のバイト７６−０乃至７６−Ｎを有する。
【００５１】
以下、図４に示す１つの通信パートナー装置２Ａ及び図５に示す他の通信パートナー装置２Ｂの実施例を使用して、２つの通信パートナー装置２Ａ及び２Ｂの動作モードについて説明する。通信パートナー装置２Ａは、ラップトップ２Ａであり、通信パートナー装置２Ｂは、プリンタ２Ｂであるものとする。ラップトップ２Ａの通信制御手段１３Ａは、ラップトップ２Ａのハードウェアと、本例のテキスト処理ソフトウェアのような、ハードウェアと対話するソフトウェアアプリケーションによって形成される。プリンタ２Ｂの通信制御手段１３Ｂは、プリンタ２Ｂのハードウェアと、ハードウェアと対話するファームウェアとして知られるものによって形成される。
【００５２】
適用例により、オフィスに入ると、ラップトップ２Ａは、まず、ユーザによってプリンタ２Ｂのすぐに置かれる。ユーザは、その後、プリンタ２Ｂを使用して、第１の通信チャネル４を通じてラップトップ２Ａからテキスト文書を印刷したいと思う。ユーザは、図１に示すように、第１の通信手段５Ａ及び第２の通信手段５Ｂが、第２の通信レンジ６内に配置されることを確実とする。この位置において、２つのこのような通信パートナー装置２Ａ及び２Ｂを有する通信システム１に属する１つの、すなわち第１の、通信パートナー装置２Ａ（ラップトップ２Ａ）と、通信システム１の他の、すなわち第２の、通信パートナー装置２Ｂ（プリンタ２Ｂ）との間の第１の通信チャネル４を通じた非接触の通信を可能にする通信イネーブリング方法が、開始される。双方の通信パートナー装置２Ａ及び２Ｂは、通信イネーブル情報項目ＣＥＩＡ及びＣＥＩＢをそれぞれ含み、通信イネーブル情報項目ＣＥＩＡ又はＣＥＩＢは、第１の通信チャネル４を通じて、１つの通信パートナー装置２Ａと他の通信パートナー装置２Ｂとの間の双方向通信を可能にするために使用される。この方法により、１つの通信パートナー装置２Ａは、通信手段５Ａを使用して、第２の通信チャネル７を通じて、非接触の通信を行い、他の通信パートナー装置２Ｂは、通信手段５Ｂを使用して、第２の通信チャネル７を通じて、非接触の通信を行う。第２の通信チャネル７を通じたこのような通信を行う際、第１の通信チャネル４を通じた通信を可能にするために必要である第１の通信イネーブル情報項目ＣＥＩＡは、第２の通信チャネル７を通じた通信より前に第１の通信イネーブル情報項目ＣＥＩＡをまだ含まない他の通信パートナー装置２Ｂにおいて利用可能にされる。
【００５３】
この方法により、まず、ラップトップ２Ａにおいて、第１の記憶手段１２Ａは、第１の記憶手段１２Ａに記憶された第１の通信イネーブル情報項目ＣＥＩＡについて呼びかけるために、回路１４Ａに含まれる呼びかけ段２７’を使用し、前記第１の通信イネーブル情報項目ＣＥＩＡは、第１の通信手段５Ａによって、第２の通信チャネル７を通じてプリンタ２Ｂの第２の通信手段５Ｂに伝送される。第１の通信イネーブル情報項目ＣＥＩＡは、第１のインタフェースタイプ情報項目ＩＴＩＡ、インタフェースプリファランス情報項目ＩＰＩＡ、第１のインタフェース指示情報項目ＩＳＮＡ及び第１の通信パートナー指示情報項目ＣＤＩＡを含む。上述の方法により、第１の通信イネーブル情報項目ＣＥＩＡは、第２の通信チャネル７を通じた通信の開始の直後に、利用可能にされる。このために、回路５Ａは、第２の通信チャネル７を通じて通信するために、ＥＣＭＡ標準に従う通信プロトコルを提供し、この通信プロトコルに従って第２の通信チャネル７を通じて通信する際、通信は、アクティブ通信モードにおいて行われる。第１の回路５Ａにおいて、第７の端子２５を介して受け取られる第１の通信イネーブル情報項目ＣＥＩＡは、処理制御段２７によって、コマンド生成段２８に伝送情報項目ＳＩ１として伝送される。そののち、図２に示す第１のアクティブ化コマンド３９が、コマンド生成段２８によって生成され、第１の符号化段２９に、第１のコマンド情報項目ＣＩ１の形で伝送され、第１の符号化段２９から変調段３０に、第１の符号化されたコマンド情報項目ＣＣＩ１の形で伝送される。従って、第１の通信イネーブル情報項目ＣＥＩＡは、ラップトップ２Ａからプリンタ２Ｂに、通信プロトコルの第１のアクティブ化コマンド３９を使用して伝達される。
【００５４】
第２の通信パートナー装置２Ｂにおいて、通信イネーブリング方法が、伝送信号ＳＳを受け取る結果として、同様に開始される。ここでも、第２の通信パートナー装置２Ｂにおいて、第２の回路１４Ｂは、第２の通信チャネル７を通じて通信するために、ＥＣＭＡ標準に従う通信プロトコルを提供する。しかしながら、本例においては、通信プロトコルに従って第２の通信チャネル７を通じて通信する際、能動的に生成される伝送信号ＳＳは、第１の通信手段５Ａによってすでに提供されているので、通信は、パッシブ通信モードで行われる。
【００５５】
第２の通信パートナー装置２Ｂにおいて、第１の通信イネーブル情報項目ＣＥＩＡは、まず、第２の通信チャネル７を通じて第２の通信手段５Ｂによって受け取られる。この場合、回路１４Ｂの共通の受信パスが使用される。第１の通信イネーブル情報項目ＣＥＩＡが、第１の通信チャネル４を通じた通信を可能にするために、供給段２７’’によって供給されるとともに、第１のブルートゥースインタフェース９の第１のインタフェース一連番号のみが第２のインタフェース手段８Ｂに伝送されるように、第２の通信制御手段１３Ｂによって考慮される。この理由は、第２のブルートゥースインタフェース５７のみが、第２の通信パートナー装置２Ｂにおいて利用可能であるので、第１の通信パートナー装置２Ａに関するすべての他の詳細は冗長であるからである。
【００５６】
そののち、上述の方法により、第２の通信チャネル７を通じて通信する際、第１の通信チャネル４を通じた通信を可能にするために必要である第２の通信イネーブル情報項目ＣＥＩＢが、第２の通信チャネル７を通じて通信するより前に第２の通信イネーブル情報項目ＣＥＩＢを含まない他の通信パートナー装置２Ａにおいて利用可能にされる。第２の通信イネーブル情報項目ＣＥＩＢは、第２のインタフェースタイプ情報項目ＩＴＩＢ、第２のインタフェース指示情報項目ＩＳＮＢ及び第２の通信パートナー指示情報項目ＣＤＩＢを含む。
【００５７】
このために、第２の記憶手段１２Ｂは、まず、第２の記憶手段１２Ｂに記憶されている第２の通信イネーブル情報項目ＣＥＩＢについて呼びかけるために、回路１４Ｂに含まれる呼びかけ段２７’を使用し、前記第２の通信イネーブル情報項目ＣＥＩＢは、第２の通信手段５Ｂによって、ラップトップ２Ａの第１の通信手段５Ａに、第２の通信チャネル７を通じて伝送される。ラップトップ２Ａと同様に、プリンタ２Ｂにおいて、上述の方法により、第２の通信イネーブル情報項目ＣＥＩＢが、第２の通信チャネル７を通じて通信を開始した直後に利用可能にされる。しかしながら、第１のアクティブ化コマンド３９は、第１の通信手段５Ａによってすでに伝達されているので、回路１４Ｂにおいて、第７の端子２５を介して受け取られた第２の通信イネーブル情報項目ＣＥＩＢは、処理段２７によって、第２の伝送情報項目ＳＩ２として、応答コマンド生成段３５に伝送される。そののち、図３に示す第２のアクティブ化コマンド５９が、応答コマンド生成段３５によって生成され、第２の符号化段３６に、第２のコマンド情報項目ＣＩ２の形で伝送され、第２の符号化段階３６から負荷変調段３７に、第２の符号化されたコマンドデータＣＣＩ２の形で伝送される。こうして、第２の通信イネーブル情報項目ＣＥＩＢは、プリンタ２Ｂからラップトップ２Ａに、第２のアクティブ化コマンド５９を使用して伝達される。
【００５８】
第１の通信パートナー装置２Ａにおいて、第２の通信イネーブル情報項目ＣＥＩＢは、第１の通信手段５Ａによって、第２の通信チャネル７を通じて受け取られる。この場合、回路１４Ａの共通の受信パスが使用される。第２の通信イネーブル情報項目ＣＥＩＢは、第１の通信チャネル４を通じた通信を可能にするために、供給段２７’’によって供給されるとともに、第２のインタフェース一連番号が第１のブルートゥースインタフェース９に伝送されるように、第２のインタフェースタイプ情報項目ＩＴＩＢを使用して、第１の通信制御手段１３Ａによって考慮される。この理由は、第２のブルートゥースインタフェース５７だけが、第２の通信パートナー装置２Ｂにおいて、第１の通信チャネル４を通じて通信するために利用可能であるからである。
【００５９】
そののち、第２の通信レンジより実質的に大きい第１の通信レンジ３内における第１の通信チャネル４を通じた通信が、ユーザがそれ以上何をしなくても可能にされるので、通信イネーブリング方法が、通信パートナー装置２Ａ及び２Ｂにおいて終了される。
【００６０】
通信イネーブル情報項目ＣＥＩＡ及びＣＥＩＢが利用可能にされた直後、第１の通信チャネル４を通じて２つの通信パートナー装置２Ａ及び２Ｂ間において、実際に使用されうるいかなる情報も表さない「ダミー情報項目」として知られるものの通信が、個々の通信開始手段によって個々の他の通信パートナー装置２Ａ又は２Ｂにおいて開始される。ダミー情報項目は、これらの２つの通信パートナー装置２Ａ及び２Ｂの間の通信用に第１の通信チャネル４を永続的に確保するために、通信イネーブル情報項目ＣＥＩＡ又はＣＥＩＢを使用して、第１の通信パートナー装置２Ａにおいては第１の通信制御手段１３Ａによって形成され、第２の通信パートナー装置２Ｂにおいては第２の通信制御手段１３Ｂによって形成される。
【００６１】
そののち、ユーザによって望まれるときに、ラップトップ２Ａ上で走るソフトウェアアプリケーションを制御することによって、本例ではテキスト文書を表すインタフェース伝送情報項目ＴＩは、ラップトップ２Ａの第１のブルートゥースインタフェース９から、プリンタ２Ｂの第２のブルートゥースインタフェース５７に、第２のインタフェース一連番号を使用して伝達される。そののち、印刷（２Ｂ）の終了まで、ラップトップ２Ａのユーザに対し、ラップトップ２Ａ上で走るソフトウェアアプリケーションの紙への印刷の動作の進展を利用できるようにするために、第１のインタフェース一連番号が、プリンタ２Ｂの第２のブルートゥースインタフェース５７から、ラップトップ２Ａの第１のブルートゥースインタフェース９に、印刷ステータス情報項目を伝達するために使用される。
【００６２】
第２の通信パートナー装置２Ｂは、ラップトップ又は装置の別の支配的な項目によって形成されることもでき、それによって、第２の通信チャネル７を通じた通信が、第２の通信パートナー装置２Ｂによって開始されることもできることが言及されなければならない。この点について、２つの通信パートナー装置２Ａ及び２Ｂは、移動電話又は「パーソナルディジタルアシスタント」として知られるものによって各々形成されることもできる。
【００６３】
第１の通信チャネル４を通じて非接触の通信を行うように設計されるインタフェース手段８Ａ及び８Ｂについてのみ上記で言及されているが、接触を必要とする通信用に設計されるインタフェース手段が設けられてもよいことが言及されなければならない。そのような場合、第２の通信チャネル７を通じた上述の非接触の通信に関連する本発明の利点も得られる。
【００６４】
上述したような１つの第２の通信パートナー装置２Ｂに加えて、図１に示すように、他の通信パートナー装置２Ｂ’、２Ｂ’’及び２Ｂ’’’が更に設けられてもよいことが言及されなければならない。この場合、通信パートナー装置２Ｂ’、２Ｂ’’及び２Ｂ’’’は、それぞれの場合において１つの他の第１の通信チャネル４’、４’’及び４’’’を通じて通信するために設けられるブルートゥースインタフェースを備えることもできる。本発明による方策を設けることによって、本例において、通信パートナー装置２Ｂは、ブルートゥース標準に従って個々の第１の通信チャネル４、４’、４’’及び４’’’を通じて通信するように設計される多数の通信パートナー装置２Ｂ、２Ｂ’、２Ｂ’’及び２Ｂ’’の中から明確に選択されることができるという利点も得られ、これは、４つの通信パートナー装置２Ｂ、２Ｂ’、２Ｂ’’及び２Ｂ’’’が同じ機能をサポートするときに特に有利である。
【００６５】
前の段落に述べたものと対照的に、例えば、通信パートナー装置２Ｂ’’は、他の通信パートナー装置２Ｂ、２Ｂ’及び２Ｂ’’’と異なる機能を有してもよい。このようなケースは、例えば通信パートナー装置２Ｂがプリンタによって形成され、通信パートナー装置２Ｂ’’がスキャナによって形成される場合に生じる。このケースでさえ、２つの通信パートナー装置２Ｂ及び２Ｂ’’は、第１の通信チャネル４又は４’’を通じた通信に先立つ、個々の第２の通信チャネル７又は７’’を通じた１つの通信パートナー装置２Ａと他の通信パートナー装置２Ｂとの間又は１つの通信パートナー装置２Ａと他の通信パートナー装置２Ｂ’’との間の通信、及びそのプロセス中に生じる個々の通信イネーブル情報項目の交換、によって、第１の通信チャネル４又は４’’を通じて通信パートナー装置２Ａ及び２Ｂ又は２Ａ及び２Ｂ’’の間で通信するために、多数の通信パートナー装置２Ｂ、２Ｂ’、２Ｂ’’及び２Ｂ’’’の中から選択されることができる。前述の通信は、個々の通信パートナー装置２Ａ、２Ｂ及び２Ｂ’’に含まれる通信イネーブル情報項目ＣＥＩＡ、ＣＥＩＢ又はＣＥＩＢ’’によって可能にされる。
【００６６】
更に、通信パートナー装置２Ｂ’’との通信は、ブルートゥース標準と異なる標準を使用して行われることもできる。
【００６７】
更に、第２の通信チャネル７を通じた通信が、ＥＣＭＡ標準と異なるやり方で達成されることも言及されなければならない。
【００６８】
更に、第２の通信チャネル７を通じた通信の際、通信イネーブル情報項目は、第１のアクティブ化コマンド３９のみによって又は第２のアクティブ化コマンド５９のみによって、第２の通信チャネル７を通じて伝達されることも言及されなければならない。これは、例えば、第１の通信チャネル４を通じて一方向通信を行う場合に有利でありうる。この点について、１つの通信パートナー装置に含まれる通信イネーブル情報項目が、第２の通信チャネル７を通じた通信中に、他の通信パートナー装置において利用可能にされると、他の通信パートナー装置に含まれる通信イネーブル情報項目は、すでに利用可能にされている通信イネーブル情報項目を使用して、第１の通信チャネル４を通じた通信中に、１つの通信パートナー装置において利用可能にされることが有利である。本例において、更に、１つの通信パートナー装置は、第１の通信チャネル４を通じて直接応答されることができるので、第１の通信チャネル４を通じてのいかなる長々しい接続セットアップも必要がないという利点が得られる。
【００６９】
インタフェースタイプ情報項目ＩＴＩＡ又はＩＴＩＢ、インタフェース指示情報項目ＩＳＮＡ又はＩＳＮＢ、インタフェースプリファランス情報項目ＩＰＩＡ、及び通信パートナー指示情報項目ＣＤＩＡ又はＣＤＩＢが、個々のアクティブ化コマンド３９又は５９と関連して言及された位置以外の第１のアクティブ化コマンド３９又は第２のアクティブ化コマンド５９の位置において供給されてもよいことも言及されることができる。
【図面の簡単な説明】
【００７０】
【図１】通信システムを形成する本発明の実施例による第１の通信パートナー装置及び第２の通信パートナー装置を、ブロック図の形で概略的に示す図。
【図２】通信パートナー装置において使用される通信プロトコルの第１のアクティブ化コマンドを象徴的に示す図。
【図３】通信パートナー装置において使用される通信プロトコルの第２のアクティブ化コマンドを、図２と同様のやり方で示す図。
【図４】図１に示す第１の通信パートナー装置を、図１と同様のやり方で示す図。
【図５】図１に示す第２の通信パートナー装置を、図１と同様のやり方で示す図。
【図６】個々の通信パートナー装置について通信手段を形成するための、図１に示す両方の通信パートナー装置に含まれる回路を、図１と同様のやり方で示す図。
【図１】
2006513622.tif 000003
【図２】
2006513622.tif 000004
【図３】
2006513622.tif 000005
【図４】
2006513622.tif 000006
【図５】
2006513622.tif 000007
【図６】
2006513622.tif 000008
【国際調査報告】
2006513622.tif 000009
2006513622.tif 000010
2006513622.tif 000011